(57)【要約】      （修正有）【課題】量産を想定した破砕碍子等の廃材の再利用に際して、簡単な装置および方法により効率良く且つ安定して研磨することにより廃材の鋭利な先端を、研磨処理する装置および方法を提供する。【解決手段】回転駆動装置５により横軸回りに回転駆動され且つ廃材が投入される回動ドラム１０と、該回動ドラム１０内に固定され、回動ドラム１０とともに回転して回動ドラム１０に投入された廃材８を掻揚げる掻揚手段２０と、前記回動ドラム内に固定され、前記掻揚手段２０により掻揚げられた後に落下した廃材８が衝突し飛散させる研磨促進手段２５とが設けられている。【選択図】図１
2011251277.tif 000002
【特許請求の範囲】
【請求項１】
回転駆動装置により横軸回りに回転駆動され且つ廃材が投入される回動ドラムと、
該回動ドラム内に固定され、回動ドラムとともに回転して回動ドラムに投入された廃材を掻揚げる掻揚手段と、
前記回動ドラム内に固定され、前記掻揚手段により掻揚げられた後に落下した廃材が衝突し飛散させる研磨促進手段とが設けられていることを特徴とする廃材研磨装置。
【請求項２】
請求項１に記載の廃材研磨装置において、前記回動ドラムの一方には、ホッパが設けられるとともに、回動ドラムの他方には、処理済み廃材が排出される排出口が設けられ、前記回動ドラム内には、前記ホッパから排出口側に向けて複数の処理室が、廃材の移動を制御する制御板により区画形成され、少なくとも何れか一つの処理室に前記掻揚手段と研磨促進手段とを備えたことを特徴とする廃材研磨装置。
【請求項３】
廃材が投入される回動ドラムを回転駆動手段により回転し、前記回動ドラム内に投入した廃材を、回動ドラム内に設けられた掻揚手段で掻揚げ、さらに廃材を掻揚手段により掻揚げた後に落下させ、落下した廃材を回動ドラム内に設けられた研磨促進手段に衝突させて飛散させ、廃材を相互に衝突させることにより、廃材の先端を研磨することを特徴とする廃材の研磨方法。
【発明の詳細な説明】
【技術分野】
【０００１】
本発明は、廃材研磨装置およびその研磨方法に係り、特に、破砕碍子等の廃材をリサイクル材に加工処理する廃材研磨装置およびその研磨方法に関する。
【背景技術】
【０００２】
従来、例えば、電力関係において、電線を絶縁し支持するために電柱や鉄塔等に取付けられる碍子が周知である。この碍子の大半は投棄処分されているのが現状である。しかしながら、この処分策は、産業廃棄物の処分場の枯渇への対応問題や、貴重な資源の再利用化など豊かな地球環境を維持するうえで検討しなければならない重要な課題である。
【０００３】
そこで、近年では、資源の有効利用の観点から、碍子等の産業廃棄物の再利用が図られている（例えば、特許文献１参照）。一般的に碍子は、陶器製等の絶縁性を有する碍子本体に、キャップ等の金具が設けられた構造のものである。この碍子は、使用済みになった場合に、碍子本体と金具とに分離される。そして、碍子本体は破砕された状態（以下、破砕碍子という。）で道路舗装用資材等として再利用され、金具は金属製品として再利用されている。
【０００４】
かかる破砕碍子を道路舗装用骨材として再利用する場合には、破砕機で破砕碍子を所定の大きさに破砕している。破砕碍子は強くて脆いことから、破砕したときの形状は、破砕碍子以外の一般的な骨材に比し扁平であり、その周辺部が刃物に匹敵する程の鋭利なものとなっているため、道路舗装時での作業性や取扱い上において、極めて危険な形状である。
【０００５】
また、廃材の角を面取り加工する廃材の面取り加工装置が公知である（例えば、特許文献２参照）。かかる面取り加工装置は、回転ドラムの周壁内面に攪拌羽が設けられており、回転ドラム内に廃材と共に多数の研磨材が投入される。そして、回転ドラムを回転させ、攪拌羽で廃材と研磨材とを攪拌しながら廃材の角部を研磨するものである。
【先行技術文献】
【特許文献】
【０００６】
【特許文献１】特開平１０−１３７６２３号公報
【特許文献２】特開２００７−２７６０７４号公報
【発明の概要】
【発明が解決しようとする課題】
【０００７】
前記特許文献２に記載の面取り加工装置は、多数の金属製の研磨材を使用するため、多数の研磨材と、研磨加工終了後に廃材から金属製の研磨材を除去する磁気選別機とが必要となり、装置が複雑化する問題がある。しかも、かかる面取り加工装置は、攪拌羽で廃材と研磨材とを攪拌するだけの構成であるため、研磨材より十分に硬さの劣る廃材の面取りは可能であったとしても、特許文献１の方法により得られた破砕碍子のような形状が不規則で且つ強い鋭利な先端部を、安定して均等に研磨するのには適していない。
【０００８】
本発明は、量産を想定した破砕碍子等の廃材の再利用に際して、廃材の鋭利な先端を、簡単な装置により効率良く且つ安定して研磨することを目的とする。
【課題を解決するための手段】
【０００９】
本発明が講じた解決手段は、回転駆動装置により横軸回りに回転駆動され且つ廃材が投入される回動ドラムと、該回動ドラム内に固定され、回動ドラムとともに回転して回動ドラムに投入された廃材を掻揚げる掻揚手段と、前記回動ドラム内に固定され、前記掻揚手段により掻揚げられた後に落下した廃材が衝突し飛散させる研磨促進手段とが設けられていることにある。
【００１０】
かかる廃材研磨装置において、回動ドラムに投入された廃材は、回動ドラムとともに回転する掻揚手段により掻揚げられる。さらに、回動ドラムの回転により、廃材は掻揚手段から自然落下し、下方の研磨促進手段に衝突する。かかる研磨促進手段は、廃材を不規則な方向（任意の方向）に飛散させる。この飛散する廃材が、回動ドラムの下部に蓄積する廃材とぶつかり合う。そして、そのときの衝撃により、それぞれの廃材の先端が相互に擦り合い研磨される。
【００１１】
前記廃材研磨装置において、前記回動ドラムの一方には、ホッパが設けられるとともに、回動ドラムの他方には、処理済み廃材が排出される排出口が設けられ、前記回動ドラム内には、前記ホッパから排出口側に向けて複数の処理室が、廃材の移動を制御する制御板により区画形成され、少なくとも何れか一つの処理室に前記掻揚手段と研磨促進手段とを備えたことにある。
【００１２】
かかる廃材研磨装置において、各処理室に所定量の廃材を蓄積し、各処理室において連続して廃材を効率良く且つ安定して処理することが可能となる。
【００１３】
本発明の廃材の研磨方法は、廃材が投入される回動ドラムを回転駆動手段により回転し、前記回動ドラム内に投入した廃材を、回動ドラム内に設けられた掻揚手段で掻揚げ、さらに廃材を掻揚手段により掻揚げた後に落下させ、落下した廃材を回動ドラム内に設けられた研磨促進手段に衝突させて飛散させ、廃材を相互に衝突させることにより、廃材の先端を研磨することにある。
【発明の効果】
【００１４】
本発明は、回動ドラムを回転させて、掻揚手段による廃材の掻揚げ作用と、研磨促進手段による廃材の飛散衝突作用とを繰返すことにより、廃材の粒子相互の擦り合せ効果が向上し、廃材の鋭利な先端を効率良く且つ安定して研磨することができる。
【図面の簡単な説明】
【００１５】
【図１】本発明の一実施形態に係る廃材研磨装置の一部破断を含む正面図である。
【図２】同廃材研磨装置のホッパを除いた状態の側面図である。
【図３】同廃材研磨装置の支持台部および回転駆動装置を示す平面図である。
【図４】同分解処装置の回動ドラムの平面図である。
【図５】図１のＸ−Ｘ線矢視断面図である。
【図６】回動ドラムの内部を示す斜視図である。
【図７】（ａ）〜（ｃ）は破砕碍子を破砕する工程をそれぞれ示す断面図である。
【図８】研磨碍子を示し、（ａ）は研磨前の研磨碍子の平面図、（ｂ）は研磨後の研磨碍子の平面図である。
【図９】本発明の他実施形態に係る廃材研磨装置の一部破断を含む正面図である。
【図１０】同他実施形態に係る廃材研磨装置の正面図である。
【図１１】同廃材研磨装置の側面図である。
【発明を実施するための形態】
【００１６】
以下、本発明の一実施形態について図面を参照しながら説明する。
【００１７】
図１〜図８は、本発明の廃材研磨装置の一実施形態を示す。本廃材研磨装置１は、図１および図２に示すように、接地される支持台部２と、この支持台部２に横軸回りに回転自在に支持された円筒形状の回動ドラム１０と、この回動ドラム１０の一端に位置するように、支持台部２に支持されたホッパ７と、回動ドラム１０を回転させる回転駆動装置５とを備えている。そして、ホッパ７に投入された破砕碍子８が回動ドラム１０内に供給されるようになっている。なお、廃材としては、金具を除去した陶器からなる破砕碍子８を例示する。
【００１８】
回動ドラム１０の周壁内面には、制御手段としての制御板１１、１２が、回動ドラム１０の長手方向に所定間隔をおいて設けられている。本実施形態では、例えば、２枚の制御板１１、１２が、回動ドラム１０の長手方向に所定の間隔をおいて設けられている。かかる制御板１１、１２を設けることにより、回動ドラム１０を長手方向に３分割して複数の処理室が形成されている。具体的には、回動ドラム１０は、ホッパ７側（破砕碍子８の移動方向の上流側）から下流側となる回動ドラム１０の他端に向けて、第１室１５、第２室１６および第３室１７が順次形成されている。
【００１９】
各制御板１１、１２は、所定量の破砕碍子８を第１室１５および第２室１６にそれぞれ蓄積するためのもので、中央部に開口１１ａ、１２ａを有する環状の板材からなる。また、各制御板１１、１２は、回動ドラム１０の周方向の全周にわたって設けられており、各制御板１１の高さＨ１は、第１室１５および第２室１６の各室に所定量の破砕碍子８を蓄積させることができる任意の高さに設定されている。
【００２０】
第１室１５および第２室１６内部には、廃材の掻揚手段２０と研磨促進手段２５とが設けられている。以下、第１室１５における掻揚手段２０と研磨促進手段２５とについて説明する。
【００２１】
掻揚手段２０は、回動ドラム１０の周壁内面で且つ長手方向に沿うように設けられた長尺状の角材からなる。そして、複数条の掻揚手段２０が、回動ドラム１０の円周方向に所定間隔をおいて平行に配置されている。掻揚手段２０は、回動ドラム１０が回転する際に、回動ドラム１０内の破砕碍子８を掻揚げて自然落下させる機能を備えている。掻揚手段２０の突出高さ（回動ドラム１０の中心方向への長さ）は、所定量の破砕碍子８を掻揚げることができるように、任意に設定可能である。また、掻揚手段２０の突出高さは、全てのものが同一であっても、相違するものを交互に配置してもよい。
【００２２】
研磨促進手段２５は、第１研磨促進部材２６ａ、２６ｂと、第２研磨促進部材２７とから構成されている。第１研磨促進部材２６ａ、２６ｂは、複数本の長尺状の鋼管または異形鉄筋（異形棒鋼）等の長尺体から構成されている。すなわち、第１研磨促進部材２６ａ、２６ｂは、図１、図２および図６に示すように、一対の長尺体が、Ｘ状に交差されて回動ドラム１０の直径方向に配置されたものである。一方の第１研磨促進部材２６ａは、一端（図６に示す右側）が回動ドラム１０上流側に連結され、他端が回動ドラム１０下流側に連結されている。また、他方の第１研磨促進部材２６ｂは、一端が回動ドラム１０下流側に連結され、他端が回動ドラム１０上流側に連結されている。
【００２３】
かかる第１研磨促進部材２６ａ、２６ｂは、前記掻揚手段２０により掻揚げられた破砕碍子８が、掻揚手段２０から落下した後に当接（衝突）する構成である。そして、第１研磨促進部材２６ａ、２６ｂは、衝突した破砕碍子８を任意の方向に向けて飛散させる機能を備えている。
【００２４】
第２研磨促進部材２７は、第１研磨促進部材２６ａ、２６ｂの両側に位置するように設けられている。第２研磨促進部材２７は、長尺状の鋼管または異形鉄筋等の長尺体からなり、その両端が、支持部材２８により支持されている。また、複数の第２研磨促進部材２７が、回動ドラム１０の周壁内面と所定の間隔を有し且つ互いに平行となるように支持されている。この第２研磨促進部材２７も破砕碍子８を任意の方向に向けて飛散させる機能を備えている。
【００２５】
図１および図５に示すように、第２室１６も前記廃材の掻揚手段２０と研磨促進手段２５とを備えているが、第２室の掻揚手段２０および研磨促進手段２５は、第１室の掻揚手段２０および研磨促進手段２５に対して９０°回動ドラム１０の円周方向に回転させた位置にそれぞれ設けられている。なお、図６において、第２室１６内の掻揚手段２０および研磨促進手段２５は図示省略している。
【００２６】
図４に示すように、回動ドラム１０における第１室１５および第２室１６を設けた部分には、矩形状のメンテナンス用の点検開口１３が形成されている。この点検開口１３は点検蓋１４により開閉自在になっている。そして、この点検開口１３の開口縁に沿って第２研磨促進部材２７が設けられている。なお、回動ドラム１０は、点検開口１３を形成することにより、ねじり方向等に対する強度が低下する。しかしながら、支持部材２８が点検開口１３の４隅近傍に設けられ、第２研磨促進部材２７を支持しているため、第２研磨促進部材２７が補強材の機能を有する。なお、この点検開口１３は必ずしも設ける必要はない。
【００２７】
また、回動ドラム１０の他端には、処理された破砕碍子８が排出される排出口１０ａが形成されている。
【００２８】
回転駆動装置５は、前記支持台部２に設けられ且つ回動ドラム１０を回転自在に支持する４個のローラ３０ａ、３０ｂ、３０ｃ、３０ｄと、ローラ３０ａを回転駆動させるモータ３１と、ローラ３０ａおよびローラ３０ｂとを連動連結する連結シャフト３２とから構成されている。モータ３１は、図示省略の制御盤により、回動ドラム１０を所定の回転速度で回転できるように制御されている。
【００２９】
本実施形態の廃材研磨装置１は、以上の構成からなり、次に、かかる装置１を使用して、破砕碍子８を研磨処理する場合について説明する。
【００３０】
先ず、碍子を周知の破砕機を使用して予め所定の大きさに破砕し、破砕碍子８と金具とを分離する。なお、破砕碍子８は、その周辺部が刃物に匹敵する程の鋭利なものとなっている（図８（ａ）参照）。
【００３１】
破砕碍子８は、ベルトコンベア（図示省略）により適宜搬送され、ホッパ７に投入される。ホッパ７に投入された破砕碍子８は、所定速度で回転する回動ドラム１０の一端から第１室１５に投入される。
【００３２】
第１室１５に投入された破砕碍子８は、第１制御板１１に当接して下流側の第２室１６への移動が妨げられることにより、第１室１５内で蓄積される。第１室１５内の破砕碍子８は、回動ドラム１０とともに回転する掻揚手段２０により掻揚げられる。
【００３３】
さらに、回動ドラム１０の回転により、所定高さまで掻揚げられた破砕碍子８は掻揚手段２０から自然落下し、下方の研磨促進手段２５に衝突する。
【００３４】
すなわち、第１研磨促進部材２６ａ、２６ｂは、表面が凹凸形状または滑り易くなっており、且つ傾斜しているため、研磨促進部材２６ａ、２６ｂの任意の部分に衝突した破砕碍子８は、不規則な方向に飛散し、その後に、回動ドラム１０の下部に蓄積する破砕碍子８とぶつかり合う。そして、そのときの衝撃により、それぞれの破砕碍子８の先端が相互に擦り合い研磨される。
【００３５】
同様にして、所定高さの掻揚手段２０から落下した破砕碍子８は、第２研磨促進部材２７にも衝突することとなる。この第２研磨促進部材２７は、第１研磨促進部材２６ａ、２６ｂと構造が相違し、しかも、第１研磨促進部材２６ａ、２６ｂとは離れた位置に設けられているため、第１研磨促進部材２６ａ、２６ｂに衝突しなかった破砕碍子８も衝突する。
【００３６】
この破砕碍子８は、不規則な方向に飛散し、回動ドラム１０内の蓄積された破砕碍子８とぶつかり合う。そして、そのときの衝撃により、それぞれの破砕碍子８の先端が相互に擦り合い研磨される。
【００３７】
なお、第１研磨促進部材２６ａ、２６ｂおよび第２研磨促進部材２７の一方に衝突した破砕碍子８が、さらに他方にも衝突することもある。
【００３８】
このように、回動ドラム１０の回転により、掻揚手段２０による破砕碍子８の掻揚げ作用と、研磨促進手段２５による破砕碍子８の飛散衝突作用とを繰返す（図７（ａ）参照）。
【００３９】
破砕碍子８がホッパ７から順次投入されると、第１室１５内の破砕碍子８の量が増加するため、蓄積された破砕碍子８上部が滑るようにして、制御板１１の開口１１ａから第２室１６へ移動する（図７（ｂ）参照）。この第２室１６においても、前記と同様に破砕碍子８の掻揚げ作用と、落下する破砕碍子８の飛散衝突作用を繰返すことにより、さらに破砕碍子８の先端が研磨されて丸くなり、研磨状況が良好とる。
【００４０】
さらに、破砕碍子８が投入されると、第１室１５および第２室１６内の破砕碍子８の量が増加するため、互いにぶつかり合いながら、第２室１６の上部が滑るようにして、制御板１２の開口１２ａから第３室１７へ移動する（図７（ｃ）参照）。
【００４１】
第３室１７においては、掻揚手段２０のみ設けられており、研磨促進手段２５は設けられていないため、破砕碍子８は掻揚げられながら下流に移動し、回動ドラム１０の他端に設けられた排出口１０ａから排出される。排出された破砕碍子８は、回動ドラム１０の他端の下部に配置されたふるい装置３５に供給される。ふるい装置３５は、３種類の粒度のリサイクル材に分類する。このように、分類された破砕碍子８は、骨材として有効利用することができる（図８（ｂ）参照）。
【００４２】
以上のように本実施の形態の廃材研磨装置１は、従来と異なり多数の金属製の研磨材を使用しないため、多数の研磨材と、研磨加工終了後に廃材から金属製の研磨材を除去する磁気選別機とが不要となり、装置を簡単にすることが可能となる。しかも、破砕碍子８のような形状が不規則で且つ強い鋭利な先端部を、安定して均等に研磨することが可能となる。
【００４３】
本発明は、前記実施の形態に限定されるものではない。例えば、図９に示す廃材研磨装置１は、第１研磨促進部材２６ａ、２６ｂがＳ字状に湾曲形成された鋼管または異形鉄筋等の長尺体から構成されている。なお、第１研磨促進部材２６ａ、２６ｂは、Ｓ字状以外に任意の形状に湾曲形成することが可能である。
【００４４】
また、かかる第１研磨促進部材２６ａ、２６ｂは第３室１７にも設けられている。なお、前記図１に示した廃材研磨装置１と同一部材には、同一符号を付してそれぞれの説明は省略する。
【００４５】
また、研磨促進手段２５は、第１室１５にのみ設けることも可能である。さらに、回動ドラム１０はホッパ７側の上流側から排出側の下流側に向けて次第に低くなるように、所定角度傾斜して支持することも可能である。このように、回動ドラム１０を傾斜させることにより、第１室１５、第２室１６および第３室１７の各室内の破砕碍子８が次の処理室に移動するタイミングを調整することができる。なお、支持台部２に横軸回りに回転自在とは、回動ドラム１０を水平に配置した状態は無論、若干傾斜させた場合も含む意味である。
【００４６】
本発明は、図１０および図１１に示すように、バッチ式の廃材研磨装置１を採用することも可能である。この廃材研磨装置１は、回動ドラム１０の断面形状が６角形状を呈している。また、回動ドラム１０内には、廃材の掻揚手段２０と、研磨促進手段２５として第１研磨促進部材２６ａ、２６ｂとが設けられている。本実施形態の廃材研磨装置１は、回動ドラム１０に形成された投入口１９から破砕碍子８が投入される。なお、この投入口１９は閉塞蓋１８により開閉自在になっている。
【００４７】
そして、回動ドラム１０をモータ３１で回転させると、前記実施の形態と同様に掻揚手段２０による掻揚げ作用と、研磨促進手段２５による飛散衝突作用により、破砕碍子８の先端が研磨されて丸くなり、研磨状況が良好とる。研磨処理終了後に、回動ドラム１０内の破砕碍子８は、投入口１９から取り出す。
【００４８】
以上のように研磨処理され表面が丸みを帯びるようになった破砕碍子８は、建設用以外に例えば、庭石や人工河川等の敷石としても再利用することも可能である。
【００４９】
また、廃材は、碍子に限定されるものではなく、陶器製の食器類や、ガラスや屋根瓦等であってもよい。
【符号の説明】
【００５０】
１          廃材研磨装置
２          支持台部
５          回転駆動装置
７          ホッパ
１０        回動ドラム
１１        制御板
１２        制御板
１５        第１室（処理室）
１６        第２室（処理室）
１７        第３室（処理室）
２０        掻揚手段
２５        研磨促進手段
２６ａ      第１研磨促進部材
２６ｂ      第１研磨促進部材
２７        第２研磨促進部材
【図１】
2011251277.tif 000003
【図２】
2011251277.tif 000004
【図３】
2011251277.tif 000005
【図４】
2011251277.tif 000006
【図５】
2011251277.tif 000007
【図６】
2011251277.tif 000008
【図７】
2011251277.tif 000009
【図８】
2011251277.tif 000010
【図９】
2011251277.tif 000011
【図１０】
2011251277.tif 000012
【図１１】
2011251277.tif 000013